(57)【要約】【課題】羽根車の回転を磁気センサで検出し積算することにより小流量域でも器差を小さくでき、かつ既設のアナログ出力機能を持つ水道メータが接続されているいかなる検針盤にも接続が可能な水道メータを提供すること。【解決手段】羽根車４１の回転方向と直交する位置で回転永久磁石４２が形成され、水通路の外壁面であって、回転永久磁石４２に近接して磁気センサ４３、４４を配設し、磁気センサ４３からの電磁誘導パルスを回転検出部４５１によって得られた計量パルスを、積算計算部４５３で計算し、この積算値を、１桁づつ１０進数の電気出力に変換したアナログ出力を得るアナログ出力部４６とを備えている。【選択図】      図１
2006242573.tif 000002
【特許請求の範囲】
【請求項１】
水道水の流れる水通路内に配設され、該水流に比例して回転する羽根車と、
前記羽根車の該羽根車の回転方向と直交する位置に取付けられ、Ｎ極及びＳ極
を備えた回転永久磁石と、
前記水通路の外壁面であって、前記回転永久磁石に近接して配置され、前記回転永久磁石の回転に応じて電磁誘導パルスを出力する磁気センサと、
前記磁気センサからの電磁誘導パルスを出力する回転検出部と、
前記回転検出部からの電磁誘導パルスを順次積算する積算計算部と、
前記水の使用量を検針する際に使用する検針盤に組み合わせたとき、前記積算計算部の積算値を、１桁づつ１０進数の電気出力に変換したアナログ出力を得るアナログ出力部と、
を備えた水道メータ。
【請求項２】
前記磁気センサ部の電磁誘導パルスの出力状態によって前記羽根車の回転の正逆を判定する正逆判定部を追加し、
前記積算計算部は、前記正逆判定部の出力する正逆信号及び前記回転検出部からの計量パルスを受けて積算計算するようにした請求項１記載の水道メータ。
【請求項３】
前記アナログ出力部は、前記検針盤に組み合わせたときに前記積算値を１桁づつ１０進数の電流出力に変換した値を持つ請求項１又は２記載の水道メータ。
【請求項４】
前記アナログ出力部は、前記検針盤に組み合わせたときに前記積算値を１桁づつ１０進数の電圧出力に変換した値を持つ請求項１又は２記載の水道メータ。
【発明の詳細な説明】
【技術分野】
【０００１】
本発明は、アナログ出力部を持ち、需要家における水道水の使用量を検針する際に使用する電子式水道メータに関する。
【背景技術】
【０００２】
図９は特許文献１に開示されていて、高精度な定電流源等を使用しなくても正確な計量ができることを目的として開発された使用量検針装置（水道使用量検針盤）９に対してケーブル１０により電気的に接続して使用する水道メータの概略構成を説明するための図である。
【０００３】
ここで、図９の水道メータについて説明する前に、前述の検針盤９について説明する。  検針盤９は、定電流源を有する検針装置と水道等の使用量に応じた抵抗値を出力する使用量メータとを信号線を介して接続し、定電流源から使用量メータに電流を供給したときの前記使用量メータの抵抗値に応じて現れる検針電圧に基づいて前記使用量の検針を行うものであって、次のような構成を備えている。
【０００４】
すなわち、定電流源からの電流の供給により基準電圧を発生する基準抵抗と、演算増幅器の入出力端子間に複数の比較用抵抗を接続し、これら比較用抵抗の選択制御により前記基準電圧を可変増幅して比較用電圧として出力する差動増幅回路と、検針電圧と前記比較用電圧とを比較するコンパレータと、このコンパレータによる比較結果に応じて前記差動増幅回路の比較用抵抗を選択制御し、比較用電圧を前記検針電圧に相当する電圧値に可変増幅したときの可変増幅度から前記使用量を算出する検針制御部とを具備したものである。
【０００５】
このような手段を備えたことにより、水道メータの抵抗に定電流ｉを流したときに生じる検出電圧vkと基準電圧vhを可変増幅した比較電圧vhとを比較し、この比較結果から検針電圧vkに相当する基準電圧の可変増幅度から使用量を算出する構成としたので、定電流値11の定電流ｉが変動したとしてもこの変動に応じて基準電圧が変動することになり、これにより定電流の変動を相殺することができる。従って、定電流源として高精度のものでなくても正確な使用量が算出でき、さらに水道メータによる検針電圧vkと比較用電圧との比較結果から使用量が求められるので、A/D変換回路は不要となってA/D変換回路における誤差は無くなり、かつ検針制御部における機能も簡単となる。
【０００６】
次に、以上述べた検針盤９に接続される水道メータについて、図９を参照して説明するが、この水道メータは電圧変換または電流変換のアナログ出力部を持つものである。
【０００７】
図９では、水道管路内に配設し、水道水の使用量に比例して回転する羽根車１の回転軸上端に接した下部ギア列２の回転によりに駆動用永久磁石３を回転する。駆動用永久磁石３の回転に合わせて受動用永久磁石４が回転することにより受動用永久磁石４に取り付けられた上部ギア列５が回転し、回転レジスタ６を動かして積算を行う。回転レジスタ６に取り付けられた接点７と基板８の接点７の位置により１０進数のアナログ出力の切り替えを行う。なお、受動用永久磁石４、上部ギア列５、回転レジスタ６、接点７、基板８は、水道水が流れる流路とは隔離された容器内に配設されている。
【０００８】
以上述べた特許文献以外に、本発明の参考文献として次のようなものがある。すなわち、サンプリング方式の計量誤差をなくすようにした電子式水道メータが特許文献２に記載されている。
【０００９】
また、パルス出力手段の出力から所定幅のパルス幅成形手段を備えた流量計が特許文献３が記載されている。
【特許文献１】特公平７−９７４３９号公報
【特許文献２】特開２０００−７４７０９
【特許文献３】特開平７−８３７２５号公報
【発明の開示】
【発明が解決しようとする課題】
【００１０】
前述した、図９のアナログ出力機能を持つ水道メータにおいては、羽根車１の回転を、ギア列２、５と、永久磁石３、４からなるマグネットカップリングの伝達によって回転レジスタ６を回転させて積算するため、羽根車１を回転させるのに大きな力が必要となり、水の流れの少ない小流量域で器差が大きくなり、後述する新しい計量法に対応できないという課題がある。  
具体的には、現在の計量法で規定されている小流量域（標準流量の２〜８％）の器差範囲（±５．０％）には対応できているが、近い将来施工される、新しい計量法（ＪＩＳ化）の小流量域（標準流量の１．６〜２．５６％）の器差範囲（±５．０％）に対応できないという課題がある。
【００１１】
本発明は上記の課題を解決するために羽根車の回転を磁気センサで検出し積算することにより小流量域でも器差を小さくでき、かつ既設のアナログ出力機能を持つ水道メータが接続されているいかなる検針盤にも接続が可能な水道メータを提供することを目的とする。
【課題を解決するための手段】
【００１２】
前記目的を達成するため請求項１に対応する発明は、水道水の流れる水通路内に配設され、該水流に比例して回転する羽根車と、前記羽根車の該羽根車の回転方向と直交する位置に取付けられ、Ｎ極及びＳ極を備えた回転永久磁石と、前記水通路の外壁面であって、前記回転永久磁石に近接して配置され、前記回転永久磁石の回転に応じて電磁誘導パルスを出力する磁気センサと、前記磁気センサからの電磁誘導パルスを出力する回転検出部と、
前記回転検出部からの電磁誘導パルスを順次積算する積算計算部と、前記水の使用量を検針する際に使用する検針盤に組み合わせたとき、前記積算計算部の積算値を、１桁づつ１０進数の電気出力に変換したアナログ出力を得るアナログ出力部とを備えた水道メータである。
【発明の効果】
【００１３】
本発明によれば、小流量域でも器差を小さくでき、かつ既設のアナログ出力機能を持つ水道メータが接続されている検針盤に接続が可能な水道メータを提供できる。
【発明を実施するための最良の形態】
【００１４】
以下、図面を参照して本発明の実施形態を説明する。図１は、その一実施形態を示す概略構成図であり、水道水の流れる水通路内に回転自在に配設され、該水流に比例して回転する羽根車４１と、羽根車４１の該羽根車４１の回転方向と直交する位置で具体的には羽根車４１の回転軸４１１の上端部に取付けられ、図３に示すように上面から見てＮ極及びＳ極が接合されるように回転永久磁石４２が形成されている。また、水通路の外壁面であって、回転永久磁石４２に近接して配置され、回転永久磁石４２の回転に応じて電磁誘導パルスを出力すると共に、図３に示すように互いが一定の角度例えば１３５度存して同一平面に配設された第１及び第２の磁気センサ４３、４４と、磁気センサ４３からの電磁誘導パルスを出力する回転検出部４５１と、磁気センサ４４の電磁誘導パルスの出力状態によって羽根車４１の回転の正逆を判定する正逆判定部４５２と、正逆判定部４５２の出力する正逆信号及び回転検出部４５１からの計量パルスを受けて回転検出部４５１からの電磁誘導パルスを順次積算する積算計算部４５３を備えている。さらに、水の使用量を検針する際に使用する前述の検針盤４７に組み合わせたとき、積算計算部４５３の積算値を、１桁づつ１０進数の電気出力に変換したアナログ出力を得るアナログ出力部４６とを備えている。
【００１５】
図２は、アナログ出力部４６の構成を説明するための図であり、使用量の計量値を各桁ごとに数値（０〜９）をそれぞれ抵抗値により出力するもので、１０個の抵抗Ｒ０〜Ｒ９を直列接続し、これら抵抗Ｒ０〜Ｒ９の各接続点０〜９とコモン接点ｃとを接続して使用量計量値に応じた抵抗値を出力するものとなっている。
【００１６】
なお、図１に示す水道メータ１では１桁分の構成となっているが、実際には３〜４桁分の抵抗が備えられていたり、また各桁ごとに定電流値等を異ならせる等の切換方式が備えられた構成となっている。従って、いずれの桁においても使用量に応じた抵抗値を得、この抵抗に定電流を供給して検針電圧に変換するものとなっている。
【００１７】
ここで、図４〜図７を参照して本実施形態の作用効果を説明する。水道水が水道水通路内に流れると、これに応じて羽根車１が回転し、羽根車１と同時に、羽根車１の回転軸に固定された回転永久磁石４２が回転し、回転永久磁石４２の回転磁界を磁気センサ４３、４４が検出し、図４に示すように磁気センサ４３、４４からそれぞれ位相の異なる電磁誘導パルスを発生し、これを回転検出部４５１及び正逆判定部４５２を介して積算計算部４５に送出（出力）する。
【００１８】
ここで、正逆判定部４５２は、磁気センサ４３、４４で発生するパルス波形の状態から水道水の流れ方向が正しい場合は、例えば図５のようになり、また逆方向の場合には図６のようになること、水道メータの据付が正しいかどうかが明らかである。
【００１９】
一方、回転検出部４５１は、図７に示すように回転永久磁石４２の回転開始時は、センサ４３の立下りとなった時計量パルスを作成し始め、センサ４４の立下りとなった時計量パルスの作成終了し、センサ４４が立上がりとなった状態で計量パルスを作成し始め、センサ４３の立下りとなった時計量パルスの作成を終了し、以下同様におこなう。
【００２０】
積算計算部４５３では、正逆判定部４５２で正逆の判定結果に基づき、回転検出部４５１からの計量パルスを前回値にプラスかマイナスする。具体的には、正逆判定部４５２で正と判定した時にはプラスし、また逆と判定した時にはマイナスする。  
以上述べた実施形態によれば、羽根車４１の回転を、羽根車４１に取付けた回転永久磁石４２と、磁気センサ４３、４４により検出し、この検出値を積算するようにしたので、アナログ出力部４６を持つ水道メータの小流量域で器差を小さくすることができ、近い将来実施される新しい計量法にも対応可能となる。また、積算計算部４５３の出力側にアナログ出力部４６が設けられているので、従来のアナログ出力部（アナログ出力機能部）を持つ水道メータが需要家に設置されている既設の検針盤４７を交換することなく水道メータのみの置き換えで設置することができる。
【００２１】
（変形例）
前述の実施形態では、水計量パルスを積算する積算計算部４５３内の値を、検針盤４７が読み出す際に使用するアナログ出力部４６として、図２に示す電圧出力に変換する方式のものを例に挙げたが、これを図８に示すように電流出力に変換する方式であっても同様に実施できる。
【００２２】
前述の実施形態では、水道メータに正逆判定部４５２を備えたものを例に挙げて説明したが、用途、使用状態等によって水道水の流れの方向が一定の場合には、正逆判定部４５２を設けない場合であっても、前述の実施形態と同様な作用効果が得られる。
【図面の簡単な説明】
【００２３】
【図１】本発明のアナログ出力部を備えた持つ水道メータと検針盤を示す概略構成図。
【図２】図１のアナログ出力部の一例を示す概略構成図。
【図３】図１の回転永久磁石と磁気センサの関係を説明するための図。
【図４】図１の回転永久磁石と磁気センサと計算部の関係を説明するための図。
【図５】図１の回転永久磁石と磁気センサと正逆判定部の関係を説明するための図。
【図６】図１の回転永久磁石と磁気センサと正逆判定部の関係を説明するための図。
【図７】図１の回転永久磁石と磁気センサと回転検出部の関係を説明するための図。
【図８】図１のアナログ出力部の他の例を示す概略構成図。
【図９】従来のアナログ出力部を備えた持つ水道メータと検針盤を示す概略成図。
【符号の説明】
【００２４】
１…羽根車、２…下部ギア列、３…駆動用永久磁石、４…受動用永久磁石、５…上部ギア列、６…回転レジスタ、７…接点、８…基板、９…使用量検針装置（検針盤）、１０…ケーブル、４１…羽根車、４２…回転永久磁石、４３…磁気センサ、４４…磁気センサ、４５…積算計算部、４６…アナログ出力部、４７…検針盤、４１１…回転軸、４５１…回転検出部、４５２…正逆判定部、４５３…積算計算部。
【図１】
2006242573.tif 000003
【図２】
2006242573.tif 000004
【図３】
2006242573.tif 000005
【図４】
2006242573.tif 000006
【図５】
2006242573.tif 000007
【図６】
2006242573.tif 000008
【図７】
2006242573.tif 000009
【図８】
2006242573.tif 000010
【図９】
2006242573.tif 000011